(57)【要約】【課題】輸送時の衝撃や荷扱い時の落下衝撃で、梱包物品の筆記具または筆記具用部品が損傷したり、梱包物品の筆記具やインキカートリッジの内部のインキが外部に漏出したりするおそれがない、筆記具用または筆記具部品用の梱包箱を提供する。【解決手段】直方体形状の箱本体２の内部に、互いに直交する複数の仕切板よりなる区画部材３を収容する。区画部材３によって梱包物品８を収容するための複数の収容室６を設ける。各々の収容室６が上側開口部及び下側開口部を備える。各々の収容室６の上側開口部及び下側開口部を蓋部材４の蓋板４１で塞ぐ。箱本体２の側板２１内面と区画部材３の側面との間に緩衝空間７を設ける。箱本体２の上板２２内面と蓋板４１との間に緩衝空間７を設ける。箱本体２の下板２３内面と蓋板４１との間に緩衝空間７を設ける。蓋部材４が、長方形形状の蓋板４１と蓋板４１の各辺に連設された脚片４２とからなる。【選択図】  図１
2010126159.tif 000002
【特許請求の範囲】
【請求項１】
直方体形状の箱本体の内部に、互いに直交する複数の仕切板よりなる区画部材を収容し、前記区画部材によって梱包物品を収容するための複数の収容室を設け、前記各々の収容室が上側開口部及び下側開口部を備え、前記各々の収容室の上側開口部及び下側開口部を蓋部材の蓋板で塞ぎ、前記箱本体の側板内面と前記区画部材の側面との間に緩衝空間を設け、前記箱本体の上板内面と前記蓋板との間に緩衝空間を設け、前記箱本体の下板内面と前記蓋板との間に緩衝空間を設けたことを特徴とする筆記具用または筆記具部品用の梱包箱。
【請求項２】
前記蓋部材が、長方形形状の蓋板と該蓋板の各辺に連設された脚片とからなり、前記蓋部材を前記収容室の上側開口部及び下側開口部に嵌入した際、前記蓋板に対して前記各々の脚片が折れ曲がり、前記収容室の上側開口部を塞ぐ蓋部材の各々の脚片の端部が、前記箱本体の上板内面に当接し、前記収容室の下側開口部を塞ぐ蓋部材の各々の脚片の端部が、前記箱本体の下板内面に当接してなる請求項１記載の筆記具用または筆記具部品用の梱包箱。
【請求項３】
前記区画部材の複数を上下に積み重ね、上側の区画部材と下側の区画部材との間に、中板を配置し、前記上側の区画部材により形成される収容室の下側開口部を前記蓋部材の蓋板で塞ぎ、前記下側の区画部材により形成される収容室の上側開口部を前記蓋部材の蓋板で塞ぎ、
前記上側の区画部材により形成される収容室の下側開口部に蓋部材を嵌入した際、その蓋部材の各々の脚片が蓋板に対して折れ曲がり、その蓋部材の各々の脚片の端部が、前記中板上面に当接し、
前記下側の区画部材により形成される収容室の上側開口部に蓋部材を嵌入した際、その蓋部材の各々の脚片が蓋板に対して折れ曲がり、その蓋部材の各々の脚片の端部が、前記中板下面に当接してなる請求項２記載の筆記具用または筆記具部品用の梱包箱。
【請求項４】
前記梱包物品が、複数の筆記具または複数の筆記具用部品を収容した袋からなり、前記袋が緩衝材からなる請求項１、２または３記載の筆記具用または筆記具部品用の梱包箱。
【発明の詳細な説明】
【技術分野】
【０００１】
本発明は、筆記具用または筆記具部品用の梱包箱に関する。
【背景技術】
【０００２】
従来、特許文献１には、複数の筆記具を紙製の収納箱に収容し、前記紙製の収納箱の複数個を直方体形状に集積し、その外周面をフィルムによって集合包装してなる筆記具梱包体が開示されている。
【０００３】
【特許文献１】特開平１０−７１７７号公報
【発明の開示】
【発明が解決しようとする課題】
【０００４】
前記従来の構造は、輸送時の衝撃や荷扱い時の落下衝撃で、梱包物品の筆記具または筆記具用部品が損傷したり、あるいは、筆記具のキャップやインキカートリッジの蓋が外れ、筆記具やインキカートリッジの内部のインキが外部に漏出したりするおそれがある。
【０００５】
本発明は前記従来の問題点を解決するものであって、輸送時の衝撃や荷扱い時の落下衝撃で、梱包物品の筆記具または筆記具用部品が損傷したり、梱包物品の筆記具やインキカートリッジの内部のインキが外部に漏出したりするおそれがない、筆記具用または筆記具部品用の梱包箱を提供しようとするものである。
【課題を解決するための手段】
【０００６】
本願の第１の発明は、直方体形状の箱本体２の内部に、互いに直交する複数の仕切板３１，３２，３３よりなる区画部材３を収容し、前記区画部材３によって梱包物品８を収容するための複数の収容室６を設け、前記各々の収容室６が上側開口部及び下側開口部を備え、前記各々の収容室６の上側開口部及び下側開口部を蓋部材４の蓋板４１で塞ぎ、前記箱本体２の側板２１内面と前記区画部材３の側面との間に緩衝空間７を設け、前記箱本体２の上板２２内面と前記蓋板４１との間に緩衝空間７を設け、前記箱本体２の下板２３内面と前記蓋板４１との間に緩衝空間７を設けたことを要件とする。
【０００７】
前記第１の発明の筆記具用または筆記具部品用の梱包箱１は、箱本体２の側板２１内面と区画部材３の側面との間に緩衝空間７を設け、箱本体２の上板２２内面と蓋板４１との間に緩衝空間７を設け、箱本体２の下板２３内面と蓋板４１との間に緩衝空間７を設けたこと（即ち、箱本体２の全内面と収容室６との間に緩衝空間７を設けたこと）により、輸送時の衝撃や荷扱い時の落下衝撃で、梱包物品８の筆記具または筆記具用部品が損傷したり、梱包物品８の筆記具やインキカートリッジの内部のインキが外部に漏出したりするおそれがない。
【０００８】
本願の第２の発明は、前記第１の発明の筆記具用または筆記具部品用の梱包箱１において、前記蓋部材４が、長方形形状の蓋板４１と該蓋板４１の各辺に連設された脚片４２とからなり、前記蓋部材４を前記収容室６の上側開口部及び下側開口部に嵌入した際、前記蓋板４１に対して前記各々の脚片４２が折れ曲がり、前記収容室６の上側開口部を塞ぐ蓋部材４の各々の脚片４２の端部が、前記箱本体２の上板２２内面に当接し、前記収容室６の下側開口部を塞ぐ蓋部材４の各々の脚片４２の端部が、前記箱本体２の下板２３内面に当接してなることを要件とする。
【０００９】
前記第２の発明の筆記具用または筆記具部品用の梱包箱１は、箱本体２の上板２２内面と蓋板４１との間、及び箱本体２の下板２３内面と蓋板４１との間に、確実に緩衝空間７を形成できる。
【００１０】
本願の第３の発明は、前記第２の発明の筆記具用または筆記具部品用の梱包箱１において前記区画部材３の複数を上下に積み重ね、上側の区画部材３と下側の区画部材３との間に、中板５を配置し、前記上側の区画部材３により形成される収容室６の下側開口部を前記蓋部材４の蓋板４１で塞ぎ、前記下側の区画部材３により形成される収容室６の上側開口部を前記蓋部材４の蓋板４１で塞ぎ、前記上側の区画部材３により形成される収容室６の下側開口部に蓋部材４を嵌入した際、その蓋部材４の各々の脚片４２が蓋板４１に対して折れ曲がり、その蓋部材４の各々の脚片４２の端部が、前記中板５上面に当接し、前記下側の区画部材３により形成される収容室６の上側開口部に蓋部材４を嵌入した際、その蓋部材４の各々の脚片４２が蓋板４１に対して折れ曲がり、その蓋部材４の各々の脚片４２の端部が、前記中板５下面に当接してなることを要件とする。
【００１１】
前記第３の発明の筆記具用または筆記具部品用の梱包箱１は、複数の区画部材３を上下に積み重ねては箱本体２内に収容したことにより、収容室６が増加し、箱本体２内への梱包物品８の収容量を増加させることができる。
【００１２】
本願の第４の発明は、前記第１、第２または第３の発明の筆記具用または筆記具部品用の梱包箱１において、前記梱包物品８が、複数の筆記具または複数の筆記具用部品を収容した袋からなり、前記袋が緩衝材からなることを要件とする。
【００１３】
前記第４の発明の筆記具用または筆記具部品用の梱包箱１は、多量の筆記具及び多量の筆記具部品を低コストで輸送でき、しかも、輸送時や荷扱い時の衝撃から梱包物品を、より一層保護することができる。尚、前記筆記具または筆記具部品は、複数個が袋内にランダムに収容されることが有効であり、それにより、梱包作業が迅速となる。
【発明の効果】
【００１４】
本発明の筆記具用または筆記具部品用の梱包箱は、輸送時の衝撃や荷扱い時の落下衝撃で、梱包物品の筆記具または筆記具用部品が損傷したり、梱包物品の筆記具の内部インキやインキカートリッジの内部のインキが外部に漏出したりするおそれがない。
【発明を実施するための最良の形態】
【００１５】
本発明の筆記具用または筆記具部品用の梱包箱１の実施の形態を、図１乃至図４に示す。
本実施の形態の梱包箱１は、箱本体２と、区画部材３と、蓋部材４と、中板５とからなる。
【００１６】
・箱本体
前記箱本体２は、直方体形状を有し、４枚の側板２１と上板２２と下板２３とから構成される。前記上板２２、前記下板２３の各々は、長方形形状の４枚のフラップから構成される。前記側板２１、前記上板２２、及び前記下板２３は、段ボール板から形成される。前記段ボール板は、衝撃吸収性が向上する点で強化段ボールの板からなることが好ましい。前記強化段ボールは、例えば、段ボールの原紙の坪量を増加させたもの、中芯を樹脂により貼り合わせたもの、ライナーの表面または裏面に樹脂を塗布したもの、段ボールシートを複数層、貼り合わせたものが挙げられる。
【００１７】
・区画部材
前記区画部材３は、第１の仕切板３１と第２の仕切板３２と第３の仕切板３３とから構成される。前記第１の仕切板３１、前記第２の仕切板３２、及び前記第３の仕切板３３は、全て長方形形状の段ボール板（例えば強化段ボール板）から形成される。前記第１の仕切板３１と前記第２の仕切板３２は、同一の長手寸法を有し、等間隔に３箇所、切り込みが設けられる。前記第２の仕切板３２は、第１の仕切板３１よりも幅寸法が小さく形成される。前記第３の仕切板３３は、等間隔に４箇所、切り込みが設けられる。前記第１の仕切板３１及び前記第２の仕切板３２が、前記第３の仕切板３３に対して直交するよう、各々の切り込みでかみ合わせて組み立てられ、一つの格子状の区画部材３が構成される。
【００１８】
前記一つの区画部材３は、２枚の第１の仕切板３１と、２枚の第２の仕切板３２と、３枚の第３の仕切板３３とからなる。前記２枚の第１の仕切板３１は、前記第３の仕切板３３の各々の４つの切り込みの中の両端の２つの切り込みに挿入される。前記２枚の第２の仕切板３２は、前記第３の仕切板３３の各々の４つの切り込みの中の残りの２つの切り込みに挿入される。
【００１９】
・収容室
前記一つの区画部材３によって、梱包物品８を収容可能な複数の収容室６が形成される。具体的には、６つの収容室６が区画形成される。前記収容室６の各々は、上下方向に開口される。即ち、前記収容室６の各々は、上側開口部及び下側開口部を備える。
【００２０】
・蓋部材
前記蓋部材４は、長方形形状の蓋板４１と、該蓋板４１の各片に一体に連設される長方形形状の脚片４２とからなる。前記蓋部材４は段ボール板（例えば強化段ボール板）から形成される。前記一つの蓋部材４は、第１の仕切板３１と第３の仕切板３３とによって囲まれた３つの収容室６の上側開口部に嵌入されることにより、前記一つの蓋部材４の蓋板４１で、３つの収容室６の上側開口部を塞ぐことができる。同様に、前記一つの蓋部材４は、第１の仕切壁と第３の仕切板３３とによって囲まれた３つの収容室６の下側開口部に嵌入されることにより、前記一つの蓋部材４の蓋板４１で、３つの収容室６の下側開口部を塞ぐことができる。
【００２１】
前記蓋板４１には、二つの窓孔４３が設けられる。それにより、蓋部材４の容易な取り外し及び内部の梱包物品８の視認が可能となる。
【００２２】
・中板
本実施の形態では、前記区画部材３は、２組、用意され、上下に積み重ねるように、箱本体２内部に収容される。前記上側の区画部材３と、前記下側の区画部材３との間には、中板５が配置される。前記上側の区画部材３により形成される収容室６の上側開口部及び下側開口部の各々が、蓋部材４の蓋板４１で塞がれ、且つ、前記下側の区画部材３により形成される収容室６の上側開口部及び下側開口部の各々が、蓋部材４の蓋板４１で塞がれる。本実施の形態では、８枚の蓋部材４が用意される。
【００２３】
・緩衝空間
前記２組の区画部材３を、前記箱本体２の内部に収容すると、各々の区画部材３の第１の仕切板３１、第２の仕切板３２、及び第３の仕切板３３の長手方向の両端部が、箱本体２の側板２１の内面に当接される。そして、前記箱本体２の側板２１の内面と前記各々の区画部材３の側面（即ち、第１の仕切板３１の側面、及び第３の仕切板３３の側面）との間に緩衝空間７が形成される。
【００２４】
前記上側の区画部材３により形成される収容室６の上側開口部に蓋部材４を嵌入した際、その蓋部材４の各々の脚片４２が蓋板４１に対して略直角に折れ曲がり、その蓋部材４の各々の脚片４２の端部が、前記箱本体２の上板２２内面に当接される。それにより、前記箱本体２の上板２２内面と前記蓋板４１との間に、緩衝空間７が確実に設けられる。
【００２５】
前記上側の区画部材３により形成される収容室６の下側開口部に蓋部材４を嵌入した際、その蓋部材４の各々の脚片４２が蓋板４１に対して略直角に折れ曲がり、その蓋部材４の各々の脚片４２の端部が、前記中板５上面に当接される。それにより、前記中板５上面と前記蓋板４１との間に、緩衝空間７が確実に設けられる。
【００２６】
前記下側の区画部材３により形成される収容室６の上側開口部に蓋部材４を嵌入した際、その蓋部材４の各々の脚片４２が蓋板４１に対して略直角に折れ曲がり、その蓋部材４の各々の脚片４２の端部が、前記中板５下面に当接される。それにより、前記中板５下面と前記蓋板４１との間に、緩衝空間７が確実に設けられる。
【００２７】
前記下側の区画部材３により形成される収容室６の下側開口部に蓋部材４を嵌入した際、その蓋部材４の各々の脚片４２が蓋板４１に対して略直角に折れ曲がり、その蓋部材４の各々の脚片４２の端部が、前記箱本体２の下板２３内面に当接される。それにより、前記箱本体２の下板２３内面と前記蓋板４１との間に、緩衝空間７が確実に設けられる。
【００２８】
・梱包物品
前記梱包物品８は、複数の筆記具または複数の筆記具用部品を収容した袋からなる。前記袋は、緩衝材からなる。前記緩衝材は、例えば、プラスチック気泡シート、プラスチック発泡シート等が挙げられる。前記筆記具または筆記具部品の複数個は、前記袋の内部にランダムに収容される。尚、前記筆記具は、例えば、マーキングペン、ボールペン、サインペン、万年筆、鉛筆、シャープペンシル等が挙げられる。前記筆記具部品は、インキカートリッジ、ボールペンレフィル、シュープペンシル用替え芯、キャップ、ペン先、軸筒、クリップ等が挙げられる。
【００２９】
尚、本発明で、直方体とは、立方体を含む。尚、本発明で、長方形とは、正方形を含む。
【図面の簡単な説明】
【００３０】
【図１】本発明の実施の形態の上板を開放させ、蓋部材を取り外した状態を示す斜視図である。
【図２】本発明の実施の形態の上板を省略した平面図である。
【図３】図２のＡ−Ａ線断面図である。
【図４】図２の蓋部材を取り外した状態の平面図である。
【符号の説明】
【００３１】
１  梱包箱
２  箱本体
２１  側板
２２  上板
２３  下板
３  区画部材
３１  第１の仕切板
３２  第２の仕切板
３３  第３の仕切板
４  蓋部材
４１  蓋板
４２  脚片
４３  窓孔
５  中板
６  収容室
７  緩衝空間
８  梱包物品
【図１】
2010126159.tif 000003
【図２】
2010126159.tif 000004
【図３】
2010126159.tif 000005
【図４】
2010126159.tif 000006